(57)【要約】【課題】マスカラをまつ毛に塗布するために利用されるマスカラ・ブラシ（１）であって、２本の捻じり合わされたワイヤー片の間に固定された多数のブラシ毛（３）を備えて成り、捻じり合わされたワイヤー片から外へ延びるブラシ毛（３）の自由端（５）が先細りに形成されているマスカラ・ブラシのコーミング成果を改善する。【解決手段】少なくとも一部のブラシ毛（３）の自由端（５）が、断面において楔形の形状を有する。【選択図】　　図２
2004049906.tif 000002
【特許請求の範囲】
【請求項１】
マスカラをまつ毛に塗布するためのマスカラ・ブラシであって、２本の捻じり合わされたワイヤー片の間に固定された多数のブラシ毛を備えて成り、捻じり合わされたワイヤー片から外へ延びるブラシ毛の自由端が先細りに形成されているマスカラ・ブラシにおいて、
少なくとも一部のブラシ毛（３）の自由端（５）が、断面において楔形の形状を有することを特徴とするマスカラ・ブラシ。
【請求項２】
自由端（５）が屋根型又は鑿形の構成（６乃至８）を有することを特徴とする、請求項１に記載のマスカラ・ブラシ。
【請求項３】
端部（５）の外側エッジ（８）が互いにほぼ平行に、且つ捻じり合わされたワイヤー片（２）に対してほぼ垂直に延在していることを特徴とする、請求項１に記載のマスカラ・ブラシ。
【請求項４】
長さの異なるブラシ毛（３，２４）を備え、且つ長い方のブラシ毛（３）の端部だけを断面において楔形にすることを特徴とする、請求項１に記載のマスカラ・ブラシ。
【請求項５】
ブラシ毛（３）の端部が研磨されていることを特徴とする、請求項１に記載のマスカラ・ブラシ。
【請求項６】
ブラシ毛の直径ｄが０．１ｍｍ〜０．４ｍｍの範囲内であることを特徴とする、請求項１に記載のマスカラ・ブラシ。
【請求項７】
楔形長さＬが０．５ｍｍ〜１５ｍｍの範囲内であること特徴とする、請求項１に記載のマスカラ・ブラシ。
【請求項８】
ブラシ毛（３）の縦軸線（１２）とブラシの縦軸線（１３）との間の角度βが４５°〜１３５°の範囲内であること特徴とする、請求項１に記載のマスカラ・ブラシ。
【発明の詳細な説明】
【０００１】
【発明の属する技術分野】
本発明は、マスカラをまつ毛に塗布するためのマスカラ・ブラシに関するものであり、当該マスカラ・ブラシは２本の捻じり合わされたワイヤー片の間に固定された多数の剛毛（ブラシ毛）を備えて成り、捻じり合わされたワイヤー片から外へ延びるブラシ毛の自由端は先細りに形成されている。
【０００２】
【従来の技術】
この種のマスカラ・ブラシは市場において公知である。そこでは、ブラシ毛の自由端は先が尖った形状を呈している。成る程、この種のブラシ毛の先端は、個々のまつ毛間の隙間に入り込むことが可能であり、これはマスカラ・ブラシの良好なコーミング（梳毛）成果の前提条件である。しかしながらその一方で剛性に乏しい。それ故、マスカラを塗布している最中に、２本のまつ毛を分離させなければならない場合、またコーミングの際にある程度の抵抗を克服する必要がある場合、ブラシ毛の端部は大抵曲がってしまい、実際にはまつ毛を梳きとかすことなく、まつ毛の隙間を離れることになる。より硬く、より太いブラシ毛を使用したとすると、密接したまつ毛の間に入り込むには、今度は太過ぎるのである。
【０００３】
【発明が解決しようとする課題】
従って、本発明の課題は、マスカラ・ブラシを用いて行われるマスカラ塗布のメーキャップ結果が改善されるように、冒頭に挙げた種類のマスカラ・ブラシを改良することにある。
【０００４】
【課題を解決するための手段】
この課題は本発明に従い、冒頭に挙げた種類のマスカラ・ブラシを、少なくとも一部のブラシ毛の自由端が、断面において楔形（Ｖ字型）の形状を有することにより解決される。
【０００５】
本発明に従い、２本の隣り合うまつ毛を分けるためには、ブラシ毛がコーミング方向に対して平行で、先端が尖ったアウトラインを備えていれば充分であることが判明している。これに対して、鉛直方向においては、ブラシ毛の断面の形状は、まつ毛を分離するためのブラシ毛の適性に全く、もしくは極わずかにしか影響しない。従って、本発明に従う楔形のブラシ毛は本質的には相反する特性、つまり一方で良好な分離効果と、またその一方ではコーミングに必要な充分な剛性とを１つにする。付け加えるならば、楔形に尖らせたブラシ毛の先端同士の間隔はより広くなっている。特にブラシ毛の先端がブラシ表面に均等に配分されているブラシの場合、１本１本のまつ毛はこの間隔の中へ入り込むことが出来る。
【０００６】
屋根（ルーフ）あるいは鑿（ｃｈｉｓｅｌ、たがね）のような形状を有するマスカラ・ブラシの自由端は、一方で分離効果、またその一方でコーミング効果という２つの特性を最適化させる。これに代わって、ブラシ毛の端部に斜角を付けることにより、ブラシ毛の自由端を断面において楔形にすることも出来る。
【０００７】
端部の外側エッジが互いにほぼ平行に、且つ捻じり合わされたワイヤー片に対してはほぼ垂直に延在しているならばより好都合である。このエッジの形状は、マスカラを塗布する際、ブラシ毛のアウトラインが楔状に先細りになることを確実にする。これにより、通常のマスカラ・ブラシの取り扱いにおいて、良好なコーミング特性が結果として得られる。
【０００８】
マスカラ・ブラシの実施形態のバリエーションでは、長さの異なるブラシ毛を備え、且つ長い方のブラシ毛の端部だけを断面において楔形にすることが考えら得る。上述した長所を備える長い方のブラシ毛に加えて、本変形実施形態の短い方のブラシ毛は、マスカラ・ブラシの良好なクリーニング効果と塗布効果を保証する。
【０００９】
ブラシ毛の端部が研磨されていてもよい。この種のブラシ毛は容易且つ安価で製造可能である。
【００１０】
ブラシ毛の直径が０．１ｍｍから０．４ｍｍの間で、楔形の長さが０．５ｍｍから１５ｍｍの間であり、且つブラシ毛の縦軸線とブラシの縦軸線との間の角度βが４５°から１３５°であれば特に有利であることが明らかになっている。このパラメーター範囲において、マスカラ・ブラシの最適なコーミング効果、またこれと同時に良好なクリーニング効果と塗布効果が獲得され得る。
【００１１】
【発明の実施の形態】
以下に、本発明の実施例を、図面を用いて詳細に説明する。
図１に本発明に従うマスカラ・ブラシ１を図示する。周知の通り、２本の捻じり合わされたワイヤー片を備える芯部２は、ワイヤー片の間に固定された多数のブラシ毛（剛毛）３を担持している。ブラシ毛の素材としてはポリアミド、ポリエステル、ポリアクリル、ＰＥＴ、天然毛、植物繊維が可能である。図２に示すように、ブラシ毛３は芯部２の縦軸線１３に対して、外側半径方向へ延在している。芯部２は、図１中では左側の、柄部分４（一部分のみを図示する）の方へと延びている。
【００１２】
図６および図７は芯部２から外側へ突き出ているブラシ毛３の終端部分５の拡大図である。終端部分５の自由端は楔形に尖っている。該楔形形状は、終端部分５が楔表面６および７を備え、両楔表面が終端部分５の自由端において、屋根の棟（リッジ）のように、終端部エッジ領域８に統合されていることにより成り立っている。図６と図７を組み合わせてみると明らかなように、楔形に尖った終端部分５は時計職人のネジ回しと類似している。楔表面６，７は、図７の描写面（紙面）とも、またこれに対して垂直な終端部分５の中央面とも直交する平面９と共に、８０°の楔形角を囲んでいる（楔表面６，７は、図７の描写面とも、またこれに対して垂直な終端部分５の中央面とも直交する平面９と、８０°の楔形角をなしている）。楔形の長さＬ、即ち終端部エッジ領域８と、楔表面６，７が終端部分５の外側面１１に達している終端部領域１０との間の長さは２．５ｍｍである。楔形部分以外では、終端部分５は円筒形の基本形を有し、その直径ｄは０．２５ｍｍである。
【００１３】
図３より明らかなように、ブラシ毛３の縦軸線１２は芯部２の縦軸線１３と共に、９０°の角βを形成している。マスカラ・ブラシ１において、角度βの配分は、芯部２の縦軸線１３に沿って、約９０°±４５°の角度幅の間であって良い。
【００１４】
図１および図２に、終端部エッジ領域８の棟が芯部２の縦軸線１３に対して垂直であことが示されている。図４，５，９および１０から明らかなように、終端部エッジ領域８のこの位置付けが、まぶた１５から延びる、隣り合うまつ毛１４の間への終端部エッジ領域８の係合を可能にする。隣接するまつ毛１４は、まぶた１５付近のまつ毛の根元領域においては、コーミングされていない状態においても、まつ毛の列方向において分離箇所を有する。この分離分離箇所は、例えば図４および図９において明瞭である。更に図９は、マスカラ・ブラシ１のブラシ毛３が、この分離箇所にうまく係合するような厚さと互いの距離を有することを示している。
【００１５】
図１０および図１１に、直接的な比較において、本発明に従うマスカラ・ブラシ１と、先端が尖っていないか又は楔形ではないブラシ毛１７を備えて成る、従来技術によるマスカラ・ブラシ１６との分離及びコーミング能力の差異を示す。
図１０の部分拡大図は、本発明に従うマスカラ・ブラシ１のブラシ毛３の終端部エッジ領域８が、びっしりと並んだまつ毛１４の間へも係合可能であることを示している。これに対して、従来技術によるマスカラ・ブラシ１６のブラシ毛１７の直径は、その終端部分の自由端においてでさえも、隣接するまつ毛１４の間隔よりも大きい。従って、従来技術によるマスカラ・ブラシ１６のブラシ毛１７を用いて、隣接するまつ毛１４を分離することはほぼ不可能である。
【００１６】
図９、並びに図１２乃至図１５に基づき、以下にマスカラを塗布する行程におけるマスカラ・ブラシ１の機能の仕方を述べる。
【００１７】
図１３は、マスカラ・ブラシ１が、差し当たりはまつ毛１４と係合することなく、まつ毛１４を備えるまぶた１５に近づけられた段階を図示している。マスカラ・ブラシ１は次に、まつ毛１４の根元の出来るだけ近くに、ブラシ毛３の終端部分５がまつ毛１４の隙間に係合するように保持される。この位置が図９に示されている。続いてマスカラ・ブラシ１はまぶた１５から引き離される。この間、ブラシ毛３はまつ毛１４と係合したままの状態であり、まつ毛１４から離れて、コーミングする。この引き動作が、マスカラ・ブラシ１の縦軸線１３回りの回転によりサポートされ、その際、マスカラ・ブラシ１のまつ毛１４と係合している側が芯部２よりも素早く、まぶた１５のまつ毛１４の根元から離れるような回転方向であれば好都合である。これに代えて又はこれに加えて、上方／前方への動きがこの引き動作をサポートしてもよい。この引き離しの中間状態が図１２に示されている。この間に、まつ毛１４は既に完全に分離さている。コーミング方向に対して平行な中央面における終端部分５の剛性に基づき、まつ毛１４を分離し、コーミングする間、終端部分が曲がってしまうことはない。図１５に図示されたマスカラ塗布の行程では、コーミングの後に係合を解除した直後のマスカラ・ブラシ１と、既に梳きとかれたまつ毛１４が示されている。
【００１８】
図５には、マスカラ塗布の行程の結末として、分離され、コーミングされたまつ毛１４が図示されている。まつ毛が長くなり、ボリュームアップしたという主観的な印象が生じている。
【００１９】
図１６乃至４８は、本発明に従う、更に別の実施例を示している。既に図１乃至１５に関連して既述済みの、対応するブラシの構成要素には同一の符号を付してあるので、もう一度詳細に説明することは控える。
【００２０】
図１６乃至２１に、ブラシ毛３を製造するための一次生産品である、ブラシ毛の半加工品１８の対の様々なバリエーションを示す。半加工のブラシ毛１８の直径ｄは図１６から図２１の間で徐々に大きくなっていて、図１６の０．１ｍｍに始まり、図２１では０．４ｍｍである。楔表面を備えず、研磨された部分の長さ或いは楔形長さＬ＝０である。
【００２１】
図２２乃至３９は、本発明に従うブラシ毛の終端部分５の様々なバリエーションを示している。直径は０．１ｍｍから０．４ｍｍで、Ｌは次第に大きくなっている。図２２乃至２７，２８乃至３３，並びに３４乃至３９に図示された終端部分５は、夫々直径の対応する半加工のブラシ毛１８を研磨することより製造される。
【００２２】
図２２乃至２７のブラシ毛３の終端部分５の楔形長さＬは１．５ｍｍである。
図２８乃至３３のブラシ毛３の終端部分５の楔形長さＬは３ｍｍ、図３４乃至３９のブラシ毛３のそれは８ｍｍである。また、より小さな楔形長さ、例えば０．５ｍｍ、またより大きな楔形長さ、例えば１５ｍｍを有する終端部分５を製造することも可能である。
【００２３】
図２２乃至図３９に図示されたブラシ毛３の楔形角αは、図２２乃至２７中のブラシ毛３の終端部分５で約８０°から、図３４乃至図３９中のブラシ毛３の終端部分５で約８９°へと変化している。また、５°〜８０°の間で、もっと小さな楔形角αを実現することも可能である。
【００２４】
図４０乃至４７はブラシ毛３の横断面形状のバリエーションを示している。図４０は中実素材から成るブラシ毛３の横断面を示している。図４１は中空のブラシ毛３を示している。図４２は縦溝１９を備え、その結果Ｃ字形に似た横断面形状を有するブラシ毛３を示している。図４３は十字型の横断面形状を有するブラシ毛３を示している。図４４に従うブラシ毛３は角が丸みを帯びた三角形の外面を有する。図４４のブラシ毛３は内部に、ブラシ毛３の縦軸線１２に対して平行に延在する、３つの中空室２０を備える。この中空室は、互いにＹ字型に連結されたウェブ２１により分割されている。図４５に従うブラシ毛３は、円筒形の核部分２２とこの外側をスリーブのように取り囲んでいる外殻部分２３から成るコンパウンド材料（ｃｏｍｐｏｕｎｄ　ｍａｔｅｒｉａｌ／Ｖｅｒｂｕｎｄｍａｔｅｒｉａｌ）により製造されている。図４６に従うブラシ毛３はＨ字型に似た形状の横断面を有する。図４７に従うブラシ毛３の横断面は４つの部分から成る、クローバーの葉に似た構成を有しているので、図４７の断面におけるブラシ毛３はジグゾーパズルのピースの様に見える。
【００２５】
図示された横断面形状のバリエーションのうち、横断面の幾何学形状が回転対称でない事例、即ち、図４２、４３、４４、４６および４７においては、横断面形状の位置付けに関して終端部エッジ領域８の棟の方向を選択することで、棟の長さを予め画定することが可能であり、この横断面形状を有するマスカラ・ブラシ１のブラシ毛３のコーミング特性を予め決定することが可能である。
【００２６】
これに代えて、終端部エッジ領域８が唯一の、平らな楔表面により構成されていても良い。この楔表面が、終端部エッジ領域８を創出するために、ブラシ毛３の終端部分５を傾斜させる。
【００２７】
図４８はマスカラ・ブラシ１の更に別のバリエーションを示している。この実施例では長さの異なるブラシ毛３，２４が配されており、長い方のブラシ毛３の終端部分５だけが終端部エッジ領域８を備えている。マスカラ塗布の行程において、この長い方のブラシ毛３がまつ毛１４を梳きとく。短い方の、楔形に仕上げられていないブラシ毛２４は、マスカラ・ブラシ１のクリーニング効果と塗布効果を支援する。
【図面の簡単な説明】
【図１】本発明に従うマスカラ・ブラシの縦断面図である。
【図２】図１のマスカラ・ブラシの、柄部分の反対側から見た、略示された正面図である。
【図３】図１の略示され、拡大された部分図である。
【図４】図１のマスカラ・ブラシを用いてマスカラを塗布する前の、まぶたの上のまつ毛の略示された平面図である。
【図５】図１のマスカラ・ブラシを用いてマスカラを塗布した後の、まぶたの上のまつ毛の略示された平面図である。
【図６】図１のマスカラ・ブラシのブラシ毛の終端部分の拡大された側面図である。
【図７】図１のマスカラ・ブラシのブラシ毛の終端部分の拡大された側面図である。
【図８】図１のマスカラ・ブラシのブラシ毛の終端部分の拡大された横断面図である。
【図９】マスカラを塗布する直前のまつ毛とマスカラ・ブラシの図である。
【図１０】マスカラを塗布する直前のまつ毛とマスカラ・ブラシの図である。
【図１１】図１０に対応する、従来技術に従うマスカラ・ブラシの該略図である。
【図１２】図９に対応する、マスカラを塗布している最中の概略図である。
【図１３】マスカラ塗布の行程の第１段階における、本発明に従うマスカラ・ブラシの図である。
【図１４】マスカラ塗布の行程の中間段階における、本発明に従うマスカラ・ブラシの図である。
【図１５】マスカラ塗布の行程の最終段階における、本発明に従うマスカラ・ブラシの図である。
【図１６】研磨された部分の長さＬ＝０、直径ｄ＝０．１ｍｍの、１組のブラシ毛の半加工品を示す図である。
【図１７】研磨された部分の長さＬ＝０の、１組のブラシ毛の半加工品を示す図である。
【図１８】研磨された部分の長さＬ＝０の、１組のブラシ毛の半加工品を示す図である。
【図１９】研磨された部分の長さＬ＝０の、１組のブラシ毛の半加工品を示す図である。
【図２０】研磨された部分の長さＬ＝０の、１組のブラシ毛の半加工品を示す図である。
【図２１】研磨された部分の長さＬ＝０、直径ｄ＝０．４ｍｍの、１組のブラシ毛の半加工品を示す図である。
【図２２】研磨された部分の長さＬ＝１．５ｍｍ、直径ｄ＝０．１ｍｍの、１組のブラシ毛の半加工品を示す図である。
【図２３】研磨された部分の長さＬ＝１．５ｍｍの、１組のブラシ毛の半加工品を示す図である。
【図２４】研磨された部分の長さＬ＝１．５ｍｍの、１組のブラシ毛の半加工品を示す図である。
【図２５】研磨された部分の長さＬ＝１．５ｍｍの、１組のブラシ毛の半加工品を示す図である。
【図２６】研磨された部分の長さＬ＝１．５ｍｍの、１組のブラシ毛の半加工品を示す図である。
【図２７】研磨された部分の長さＬ＝１．５ｍｍ、直径ｄ＝０．４ｍｍの、１組のブラシ毛の半加工品を示す図である。
【図２８】研磨された部分の長さＬ＝３ｍｍ、直径ｄ＝０．１ｍｍの、１組のブラシ毛の半加工品を示す図である。
【図２９】研磨された部分の長さＬ＝３ｍｍの、１組のブラシ毛の半加工品を示す図である。
【図３０】研磨された部分の長さＬ＝３ｍｍの、１組のブラシ毛の半加工品を示す図である。
【図３１】研磨された部分の長さＬ＝３ｍｍの、１組のブラシ毛の半加工品を示す図である。
【図３２】研磨された部分の長さＬ＝３ｍｍの、１組のブラシ毛の半加工品を示す図である。
【図３３】研磨された部分の長さＬ＝３ｍｍ、直径ｄ＝０．４ｍｍの、１組のブラシ毛の半加工品を示す図である。
【図３４】研磨された部分の長さＬ＝８ｍｍ、直径ｄ＝０．１ｍｍの、１組のブラシ毛の半加工品を示す図である。
【図３５】研磨された部分の長さＬ＝８ｍｍの、１組のブラシ毛の半加工品を示す図である。
【図３６】研磨された部分の長さＬ＝８ｍｍの、１組のブラシ毛の半加工品を示す図である。
【図３７】研磨された部分の長さＬ＝８ｍｍの、１組のブラシ毛の半加工品を示す図である。
【図３８】研磨された部分の長さＬ＝８ｍｍの、１組のブラシ毛の半加工品を示す図である。
【図３９】研磨された部分の長さＬ＝８ｍｍ、直径ｄ＝０．４ｍｍの、１組のブラシ毛の半加工品を示す図である。
【図４０】本発明に従うブラシ毛の変形の断面図を示す図である。
【図４１】本発明に従うブラシ毛の変形の断面図を示す図である。
【図４２】本発明に従うブラシ毛の変形の断面図を示す図である。
【図４３】本発明に従うブラシ毛の変形の断面図を示す図である。
【図４４】本発明に従うブラシ毛の変形の断面図を示す図である。
【図４５】本発明に従うブラシ毛の変形の断面図を示す図である。
【図４６】本発明に従うブラシ毛の変形の断面図を示す図である。
【図４７】本発明に従うブラシ毛の変形の断面図を示す図である。
【図４８】本発明に従うマスカラ・ブラシの別の変形実施例の図３に似た図である。
【符号の説明】
１　　　マスカラ・ブラシ
２　　　芯部
３　　　ブラシ毛
５　　　終端部分
６，７　楔表面
８　　　端部エッジ領域
１２　　　（ブラシ毛の）縦軸線
１３　　　（芯部の）縦軸線
１４　　　まつ毛
１５　　　まぶた
ｄ　　　ブラシ毛の直径
Ｌ　　　楔形長さ
α　　　楔形角
【図１】
2004049906.tif 000003
【図２】
2004049906.tif 000004
【図３】
2004049906.tif 000005
【図４】
2004049906.tif 000006
【図５】
2004049906.tif 000007
【図６】
2004049906.tif 000008
【図７】
2004049906.tif 000009
【図８】
2004049906.tif 000010
【図９】
2004049906.tif 000011
【図１０】
2004049906.tif 000012
【図１１】
2004049906.tif 000013
【図１２】
2004049906.tif 000014
【図１３】
2004049906.tif 000015
【図１４】
2004049906.tif 000016
【図１５】
2004049906.tif 000017
【図１６】
2004049906.tif 000018
【図１７】
2004049906.tif 000019
【図１８】
2004049906.tif 000020
【図１９】
2004049906.tif 000021
【図２０】
2004049906.tif 000022
【図２１】
2004049906.tif 000023
【図２２】
2004049906.tif 000024
【図２３】
2004049906.tif 000025
【図２４】
2004049906.tif 000026
【図２５】
2004049906.tif 000027
【図２６】
2004049906.tif 000028
【図２７】
2004049906.tif 000029
【図２８】
2004049906.tif 000030
【図２９】
2004049906.tif 000031
【図３０】
2004049906.tif 000032
【図３１】
2004049906.tif 000033
【図３２】
2004049906.tif 000034
【図３３】
2004049906.tif 000035
【図３４】
2004049906.tif 000036
【図３５】
2004049906.tif 000037
【図３６】
2004049906.tif 000038
【図３７】
2004049906.tif 000039
【図３８】
2004049906.tif 000040
【図３９】
2004049906.tif 000041
【図４０】
2004049906.tif 000042
【図４１】
2004049906.tif 000043
【図４２】
2004049906.tif 000044
【図４３】
2004049906.tif 000045
【図４４】
2004049906.tif 000046
【図４５】
2004049906.tif 000047
【図４６】
2004049906.tif 000048
【図４７】
2004049906.tif 000049
【図４８】
2004049906.tif 000050